(57)【要約】【課題】先端に弁体を備える弁棒の長さが長いバルブにおいて、弁体と弁座の間の軸ずれが抑えられ、バルブの寿命も従来のバルブに比べて長くなるバルブを提供することである。【解決手段】流体の流入通路１１、流出通路１２及びこれらの通路の間に形成された弁座１３を有するバルブボディ１０と、弁座１３と当接・離間する弁体１４を備える弁棒１５と、を有するバルブ１であって、流出通路１２は、内部を流体が流れ出る管３０により形成され、管３０の軸と弁棒１５の軸とが同軸であり、弁体１４には、弁体１４の先端から弁棒１５の軸方向に延びて形成される被ガイド部４０が備えられており、当該被ガイド部４０の側面は、前記管３０の内周面によって弁棒１５の軸方向にガイドされる。【選択図】  図１
2020143759.tif 000002
【特許請求の範囲】
【請求項１】
流体の流入通路、流出通路及びこれらの通路の間に形成された弁座を有するバルブボディと、
前記弁座と当接・離間する弁体を備える弁棒と、を有するバルブであって、
前記流出通路は、内部を流体が流れ出る管により形成され、当該管の軸と前記弁棒の軸とが同軸であり、
前記弁体には、当該弁体の先端から前記弁棒の軸方向に延びて形成される被ガイド部が備えられており、当該被ガイド部の側面は、前記管の内周面によって前記弁棒の軸方向にガイドされることを特徴とするバルブ。
【請求項２】
前記弁体の横断面が円形状であり、前記弁座の横断面が円環形状であり、前記被ガイド部の横断面の外周が円であり、前記弁体の横断面、前記弁座の横断面及び前記被ガイド部の横断面の中心が同芯であることを特徴とする請求項１に記載のバルブ。
【請求項３】
流体の流入通路、流出通路及びこれらの通路の間に形成された弁座を有するバルブボディと、
前記弁座と当接・離間する弁体を備える弁棒と、を有するバルブであって、
前記弁座は、薄板により形成された平面視円環状であり、当該弁座の外周縁部は、前記バルブボディに固定され、内周縁部は前記弁体の当接面と当接するように前記流出通路側に向けて傾斜可能な面を備えているバルブ。
【請求項４】
前記外周縁部は、下面を円環状の下部支え板によって、上面を円環状の上部支え板によって挟持されて前記バルブボディに固定されており、
前記外周縁部と前記内周縁部の間の下面側に、前記下部支え板の下方から螺入された複数の雄ねじの先端部を収納する雄ねじ先端部収納空間を有することを特徴とする請求項３に記載のバルブ。
【発明の詳細な説明】
【技術分野】
【０００１】
この発明は、バルブに関する。
【背景技術】
【０００２】
半導体製造工程で真空チャンバー内と真空ポンプとを接続する流路の途中に設けられるバルブには、ヒータを内蔵し、ベローズが備えられて、２００℃を超えるような高温条件で使用されるものがある。特許文献１に記載のバルブは、高温用のベローズ弁であり、弁棒にヒータを内蔵している。
【０００３】
バルブは、流入通路、流出通路を連通する連通部を有するバルブボディと、この連通部に配設される弁体とを有している。手動バルブの場合は上部に備えられるハンドルによって、自動バルブの場合はモータ等によって弁体は駆動させられ、ハンドルまたはモータ等と先端に弁体を形成する弁棒との間に、ステムと呼ばれる連結部材が介在している。
【０００４】
例えば、特許文献１に記載のバルブでは、弁座と当接・離間する弁体を先端に有する弁棒は、流量の精密な調整のため通常の制御バルブに比べて長い。
【先行技術文献】
【特許文献】
【０００５】
【特許文献１】特許第４９２３１０５号公報
【発明の概要】
【発明が解決しようとする課題】
【０００６】
先端に弁体を有する弁棒が長いと、弁体と弁座が当接する際に軸ずれが起こりやすい。軸ずれが起こると、弁体と弁座の当接面にかかる圧力が一定でなくなり、偏りが生じることとなる。接触圧の偏りが生じると、弁を閉状態としても流体が流出通路へ漏れ出る可能性が高くなる。また、接触圧の偏りが生じると、弁座及び／または弁体に偏摩耗が生じて、バルブの寿命が短くなる原因ともなる。
【０００７】
この発明の目的は、先端に弁体を備える弁棒の長さが長いバルブにおいて、弁体と弁座の間の軸ずれを抑える調芯機能を備え、両者の間にかかる接触圧の偏りが抑えられ、バルブの寿命が従来のバルブに比べて長くなるバルブを提供することである。
【課題を解決するための手段】
【０００８】
本発明（１）は、流体の流入通路、流出通路及びこれらの通路の間に形成された弁座を有するバルブボディと、前記弁座と当接・離間する弁体を備える弁棒と、を有するバルブであって、前記出口通路は、内部を流体が流れ出る管により形成され、当該管の軸と前記弁棒の軸とが同軸であり、前記弁体には、当該弁体の先端から前記弁棒の軸方向に延びて形成される被ガイド部が備えられており、当該被ガイド部の側面は、前記管の内周面によって前記弁棒の軸方向にガイドされるバルブである。
【０００９】
本発明（１）には、弁体の先端から弁棒の軸方向に延びて形成される被ガイド部が備えられており、この被ガイド部の側面は、内部を流体が流出する管の内周面によって弁棒の軸方向にガイドされるので、管の内面にガイドされる被ガイド部が弁棒の軸ブレを抑える役割を果たす。
【００１０】
このような被ガイド部の作用によって、弁棒の軸ブレが抑えられ、先端の弁体も軸ブレが抑えられるので、弁体と弁座の間の軸ずれが抑えられ、両者の間に係る接触圧の偏りが抑えられ、流体のリークが起こりにくく、バルブの寿命も従来のバルブに比べて長くなる。
【００１１】
本発明（２）は、前記弁体の横断面が円形状であり、前記弁座の横断面が円環形状であり、前記被ガイド部の横断面の外周が円であり、前記弁体の横断面、前記弁座の横断面及び前記被ガイド部の横断面の中心が同芯であることを特徴とする本発明（１）のバルブである。
【００１２】
本発明（２）のバルブでは、弁体の横断面が円形状であり、弁座の横断面が円環形状であり、被ガイド部の横断面の外周が円であり、前記弁体の横断面、前記弁座の横断面及び前記被ガイド部の横断面の中心が同芯であるので、形状が単純であり、製造コストを下げることができる。
【００１３】
本発明（３）は、流体の流入通路、流出通路及びこれらの通路の間に形成された弁座を有するバルブボディと、前記弁座と当接・離間する弁体を備える弁棒と、を有するバルブであって、前記弁座は、薄板により形成された平面視円環状であり、当該弁座の外周縁部は、前記バルブボディに固定され、内周縁部は前記弁体の当接面と当接するように前記流出通路側に向けて傾斜する面を備えているバルブである。
【００１４】
本発明（３）のバルブには、本発明（１）や（２）のような被ガイド部は備えられていない。その代わりに、弁座は、薄板により形成された平面視円環状であり、当該弁座の外周縁部は、前記バルブボディに固定され、内周縁部は前記弁体の当接面と当接するように前記流出通路側に向けて傾斜可能な面を備えていることを特徴としている。
【００１５】
本発明（３）では、弁座が薄板によって形成されているので弾力性があり、弁棒の軸ブレが発生して、先端の弁体の軸ブレが生じたとしても、弁座表面の形状が弁体の当接面に倣うように変形するので、弁体と弁座との間の当接面に発生する接触圧の偏りが起こりにくくなる。その結果、流体のリークが起こりにくく、バルブの寿命も従来のバルブに比べて長くなる
【００１６】
本発明（４）は、前記外周縁部が、下面を円環状の下部支え板によって、上面を円環状の上部支え板によって挟持されて前記バルブボディに固定されており、前記外周縁部と前記内周縁部の間の下面側に、前記下部支え板の下方から螺入された複数の雄ねじ先端部を収納する雄ねじ先端部収納空間を有することを特徴とする本発明（３）に記載のバルブである。
【００１７】
本発明（４）のバルブでは、薄板で形成された弁座の外周縁部を挟持してバルブボディに固定する円環状の上部支え板と下部支え板のうち下部支え板の下方から螺入された複数の雄ねじ先端部を収納する雄ねじ先端部収納空間が、弁座の外周縁部と内周縁部の間の下面側に設けられていることを特徴としている。
【００１８】
下部支え板の下方から螺入された複数の雄ねじ先端部は、雄ねじの螺入の程度でその先端と弁座下面との間の距離を調整できる。この調整によって、薄板で形成された弁座の弾力性を調整することができ、薄板を交換しなくとも弁座の適切な弾力性を確保することができる。
【発明の効果】
【００１９】
この発明のバルブによると、先端に弁体を備える弁棒の長さが長いバルブにおいて、弁体と弁座の間の軸ずれを抑える調芯機能を備え、両者の間にかかる接触圧の偏りが抑えられ、バルブの寿命も従来のバルブに比べて長くすることができる。
【図面の簡単な説明】
【００２０】
【図１】この発明によるバルブの実施例１を示す。
【図２】実施例１のバルブに用いられる被ガイド部の斜視図を示す。
【図３】実施例２のバルブに用いられる被ガイド部の斜視図を示す。
【図４】この発明によるバルブの実施例３の一部を示す。
【図５】実施例３のバルブに用いられる被ガイド部付近の拡大断面図を示す。
【図６】実施例４のバルブに用いられる被ガイド部付近の拡大断面図を示す。
【発明を実施するための形態】
【００２１】
以下、図面を参照して、本発明の好適な実施例を例示的に詳しく説明する。但し、この実施例に記載されている構成部品の形状、その相対的配置等は特に特定的な記載がない限りは、この発明の範囲をそれに限定する趣旨ではなく、単なる説明例に過ぎない。また、便宜的に図面上での方向によって部材等の方向を上下左右と指称することがあるが、これらは本発明の範囲を限定するものではない。
【００２２】
図１は、この発明による実施例１のバルブを示している。このバルブは、バルブボディ１０とアクチュエータ２４とその間のステー２３の３つの構成部分を有している。
【００２３】
バルブボディ１０には、流入通路１１および流出通路１２が設けられ、流入通路１１および流出通路１２の間には弁座１３は備えられている。弁座１３と当接・離間する接触面を有する弁体１４が、垂直に備えられ、弁体１４は弁棒１５の下部先端側に形成されている。弁体１４は弁棒１５によって吊設された状態 で、後述する被ガイド部４０を備えていない状態では、軸心方向の位置が一定しない。実施例１のタイプのバルブでは、流体（ガス）の結露を防止するためのヒータ１７が弁棒１５の内部のヒータ収納空間１６に収められている。動力ライン２１は、ヒータ１７を加熱するためのものである。流体のリークを防止するためのベローズ１８が備えられている。バルブボディ１０の上部は、弁棒１５が貫通する蓋部材１９とカバー材２０でカバーされている。弁棒１５の上端部は、ステム２２と接続されており、ステム２２は、アクチュエータ２４の軸と接続され、アクチュエータ２４によって、上下に駆動される。アクチュエータ２４は、ステー２３によってバルブボディ１０に取り付けられている。
【００２４】
弁体１４の下端から弁棒１５の軸方向下方に延びる被ガイド部４０が備えられている。流体の流出通路１２は、バルブディ１０の下部に取り付けられた管３０の内部に設けられている。この管３０の軸と弁棒１５の軸とは同軸になるように調整されている。
【００２５】
被ガイド部４０は、実施例１では平板状になっており、この平板の側面が、管３０の内周面にガイドされる構造になっている。この構造によって、弁棒１５の長さが非常に長いバルブであっても弁棒１５の軸ずれを抑えることができるので、両者の間にかかる接触圧の偏りが抑えられ、バルブの寿命も、このような構造のない従来のバルブに比べて長くすることができる。
【００２６】
図２は、実施例１のバルブに用いられる被ガイド部４０の斜視図を示している。弁棒１５の先端部中央から被ガイド部首４２が下方に突出し、被ガイド部首４２の下方に被ガイド部板４１が形成されている。被ガイド部板４１は、基本形状が円板状で被ガイド部孔４４が４個設けられている。この穴を流体が通る。被ガイド部板４１の側面４３が管３０の内面によってガイドされる。
【００２７】
図３は、実施例２のバルブに用いられる被ガイド部の斜視図を示す。実施例２のバルブの基本構成は、実施例１と同じであるが、被ガイド部の形状のみが異なっている。実施例２のバルブの被ガイド部５０は、実施例１の被ガイド部４０と同じく、弁棒１５の先端部中央から被ガイド部首５２が下方に突出し、被ガイド部首５２の下方に被ガイド部板５１が形成されている。被ガイド部板５１は、円板形状ではなく、十字形状をしており、側面５３は、管３０の内周面に沿うように円筒面の一部となっている。
【００２８】
図４は、この発明によるバルブの実施例３の一部を示す。基本構造は、図１の実施例１のバルブと同じであるが、この実施例３のバルブには被ガイド部がない。その代わりに、弁座の構造が異なっている。この弁座６１は、薄板によって形成された平面視円環状をしており、中央の貫通孔を弁体１４が貫通し、弁体の当接面が、弁座６１の当接面と当接・離間する構造となっている。
【００２９】
弁座６１は、円環状の上部支え板６２と円環状の下部支え板６３とで挟持され、バルブボディ１０の底部の中央に弁体１４が貫通する穴があけられたバルブボディ底板６５に、挟持ボルト６４によって固定されている。挟持ボルト６４は、円周上に４本から１２本等間隔に設けるのが好ましい。弁座６１の内周縁部は前記弁体１４の当接面と当接するように前記流出通路側に向けて傾斜可能な面を備えている。これによって、軸心のズレた弁体１４に沿って弁座６１が変形して漏れを防止することができる。また、弁体１４に対するアクチュエータ２４の押圧力を加減することで、弁体１４の軸心のズレに対して、ズレた部分が当接する弁座６１が傾斜し、傾斜した部分の復元力によって弁体１４のズレを是正し（調芯機能）、弁体１４を正確な位置に復元させるようにすることもできる。
【００３０】
図５は、実施例３のバルブに用いられる被ガイド部付近の拡大断面図を示す。このように弁座１４の当接面と当接する弁座６１の当接面は、フリーとなっているので、弁棒１５の軸ぶれが起こっても、弁体１４の偏りに弁座６１も変形するので、先端に弁体１４を備える弁棒１５の長さが長いバルブにおいて、両者の間にかかる接触圧の偏りが抑えられ、バルブの寿命も従来のこのような弁座構造を有しないバルブに比べて長くすることができる。
【００３１】
図６は、実施例４のバルブに用いられる被ガイド部付近の拡大断面図を示す。図６の弁座６１と異なっている点は、弁座６１が図示のように、弁座６１の外周縁部と内周縁部の間の下面側に、下部支え板６３の下方から螺入された複数の雄ねじ６６の先端部を収納する雄ねじ先端部収納空間６７を有することである。
【００３２】
雄ねじ６６が下方から螺入され、ねじ先端と弁座６１の裏面との間の距離を調整できる構造となっている。この距離を適宜調整することによって、弁座６１のしなりを最適化して、弁体１４の偏りに対する弁座６１の変形具合を調整することができる。下部支え板６３には、雄ねじ６６と噛み合う雌ねじ（符号なし）が切られている。雄ねじ６６は、円周上に４本から１２本等間隔に設けるのが好ましい。弁座６１の内周縁部は前記弁体１４の当接面と当接するように前記流出通路側に向けて傾斜する面を備えている
【００３３】
実施例３のバルブと同様に、先端に弁体１４を備える弁棒１５の長さが長いバルブにおいて、両者の間にかかる接触圧の偏りが抑えられ、バルブの寿命も従来のこのような弁座構造を有しないバルブに比べて長くすることができる。
【符号の説明】
【００３４】
１  ；バルブ
１０；バルブボディ
１１；流入通路
１２；流出通路
１３；弁座
１４；弁体
１５；弁棒
１６；ヒータ収納空間
１７；ヒータ
１８；ベローズ
１９；蓋部材
２０；カバー材
２１；動力ライン
２２；ステム
２３；ステー
２４；アクチュエータ
４０；被ガイド部
４１；被ガイド部板
４２；被ガイド部首
４３；側面
４４；被ガイド部穴
５０；被ガイド部
５１；被ガイド部板
５２；被ガイド部首
５３；側面
６１；弁座
６２；上部支え板
６３；下部支え板
６４；挟持ボルト
６５；バルブボディ底板
６６；雄ねじ
６７；雄ねじ先端部収納空間
【図１】
2020143759.tif 000003
【図２】
2020143759.tif 000004
【図３】
2020143759.tif 000005
【図４】
2020143759.tif 000006
【図５】
2020143759.tif 000007
【図６】
2020143759.tif 000008